(57)【要約】【課題】デザイン性を向上させた水栓装置を提供すること。【解決手段】設置台に取り付けられる基部と、基部から延びる管部と、管部内に通される水を吐出するように管部に設けられる吐水部とを備える水栓装置は、管部内に、基部側から吐水部に向かって管部に沿って延びる第１の流路と第２の流路と、第１および第２の流路に水を供給するように基部側から接続される上流側流路とが形成されており、水栓装置はさらに、上流側流路を第１の流路又は第２の流路のいずれかに択一的に接続するように切替可能な流路切替機構と、管部の先端部に設けられ、流路切替機構を操作可能とする操作部と、操作部による操作を流路切替機構に伝達するように管部内に通される伝達機構と、をさらに備える。【選択図】図１
2018131749.tif 000002
【特許請求の範囲】
【請求項１】
設置台に取り付けられる基部と、前記基部から延びる管部と、前記管部内に通される水を吐出するように前記管部に設けられる吐水部とを備える水栓装置であって、
前記管部内に、前記基部側から前記吐水部に向かって前記管部に沿って延びる第１の流路と第２の流路と、前記第１および第２の流路に水を供給するように前記基部側から接続される上流側流路とが形成されており、
前記水栓装置はさらに、
前記上流側流路を前記第１の流路又は前記第２の流路のいずれかに択一的に接続するように切替可能な流路切替機構と、
前記管部の先端部に設けられ、前記流路切替機構を操作可能とする操作部と、
前記操作部による操作を前記流路切替機構に伝達するように前記管部内に通される伝達機構と、をさらに備える、水栓装置。
【請求項２】
前記管部は、前記先端部に向かって先細りの形状を有する、請求項１に記載の水栓装置。
【請求項３】
前記管部の表面において、前記流路切替機構が配置される箇所と、前記伝達機構が配置される箇所は滑らかに繋がる、請求項１又は２に記載の水栓装置。
【請求項４】
前記操作部は、前記管部の前記先端部において前記管部が延びる方向に突出したボタンとして設けられる、請求項１から３のいずれか１つに記載の水栓装置。
【発明の詳細な説明】
【技術分野】
【０００１】
本発明は、水栓装置に関する。
【背景技術】
【０００２】
従来より、台所や洗面所などで使用される水栓装置が開示されている（例えば、特許文献１参照）。
【０００３】
特許文献１の水栓装置は、水栓装置の先端部に水を吐出する吐水部を設け、シャワー吐水を行う形態とストレート吐水を行う形態を切替可能に構成したものである。特許文献１の水栓装置では、上記２つの吐水形態をユーザが手動操作で切り替えるための切換機構を吐水部の中に設けている。
【先行技術文献】
【特許文献】
【０００４】
【特許文献１】特許第４４２８３４３号公報
【発明の概要】
【発明が解決しようとする課題】
【０００５】
しかしながら、特許文献１の水栓装置では、吐水部の中に切換機構が設けられているため、吐水部の体積が大きくなってしまい、水栓装置のデザイン性という観点で改善の余地があった。
【０００６】
従って、本発明の目的は、上記問題を解決することにあって、デザイン性を向上させることができる水栓装置を提供することにある。
【課題を解決するための手段】
【０００７】
上記目的を達成するために、本発明の水栓装置は、設置台に取り付けられる基部と、前記基部から延びる管部と、前記管部内に通される水を吐出するように前記管部に設けられる吐水部とを備える水栓装置であって、前記管部内に、前記基部側から前記吐水部に向かって前記管部に沿って延びる第１の流路と第２の流路と、前記第１および第２の流路に水を供給するように前記基部側から接続される上流側流路とが形成されており、前記水栓装置はさらに、前記上流側流路を前記第１の流路又は前記第２の流路のいずれかに択一的に接続するように切替可能な流路切替機構と、前記管部の先端部に設けられ、前記流路切替機構を操作可能とする操作部と、前記操作部による操作を前記流路切替機構に伝達するように前記管部内に通される伝達機構と、をさらに備える。
【発明の効果】
【０００８】
本発明の水栓装置によれば、デザイン性を向上させることができる。
【図面の簡単な説明】
【０００９】
【図１】実施の形態における水栓装置の概略斜視図（管部を引き出さない状態）
【図２】実施の形態における水栓装置の概略斜視図（管部を引き出した状態）
【図３】水栓装置における管部の周辺の側面図
【図４】水栓装置における管部の周辺の平面図
【図５Ａ】水栓装置における管部の周辺の横断面図（第１の位置：シャワー吐水）
【図５Ｂ】水栓装置における管部の周辺の横断面図（第２の位置：ストレート吐水）
【図６】流路切替機機構および伝達機構の概略斜視図
【発明を実施するための形態】
【００１０】
本願発明者らは、鋭意検討した結果、水栓装置において吐水形態を切り替えるための流路切替機構を吐水部から離れた位置の管路内に設けることで、吐水部を小さく構成し、水栓装置のデザイン性を向上できるという知見を見出し、実施の形態の発明に至った。とりわけ、吐水部に向かって延びる２つの流路を管部内に設け、それぞれの流路への接続を択一的に切替可能な流路切替機構を設けることで、吐水部には切替機構を設けずに小さく構成しながら、管部の形状を細くし、デザイン性を向上させるものである。
【００１１】
以下に、本発明にかかる実施の形態を図面に基づいて詳細に説明する。
【００１２】
（実施の形態）
図１、図２は、実施の形態における水栓装置２の概略構成を示す図である。図１は、水栓装置２の通常状態を示す概略斜視図であり、図２は、水栓装置２の管部の一部が前方に引き出された状態を示す概略斜視図である。
【００１３】
水栓装置２は、台所や洗面所などで使用される水栓設備であって、図１、図２に示すように、基部４と、レバー５と、管部６と、吐水部８と、操作部１０とを備える。
【００１４】
基部４は、設置台３に立設するように取り付けられる筒状の部材である。基部４は、レバー５、管部６、吐水部８および操作部１０を一体的に支持する土台部分である。基部４は、図示しない水源から供給される水を下流側である管部６に流すように水の流路（図示せず）を内部に有している。
【００１５】
基部４には、レバー５が取り付けられている。レバー５は、後述する吐水部８からの吐水を制御するための部材である。レバー５を操作することで、吐水部８からの吐水のＯＮ／ＯＦＦ、および、吐水部８から吐出される水の量を調節することができる。
【００１６】
管部６は、基部４から流れてくる水を下流側に流す筒状の部材である。本実施の形態では、管部６は基部４から鉛直上方に延びた後、斜め上方に向かうように湾曲している。
【００１７】
管部６は、基端部６ａと、先端部６ｂとを備える。基端部６ａは、基部４の先端側に取り付けられる管部６の上流側端部である。先端部６ｂは、後述する吐水部８および操作部１０が取り付けられる管部６の下流側端部である。
【００１８】
図１に示すように、管部６は、基端部６ａから先端部６ｂにかけて先細りの形状（テーパ形状）を有する。特に本実施の形態では、管部６が延びる方向Ｔにおける管部６の全体が先細りの形状となっている。このような管部６の先細りの形状と、後述する吐水部８のコンパクトな形状によって、管部６にシャープな印象を持たせることができ、水栓装置２のデザイン性を向上させることができる。
【００１９】
図２に示すように、管部６は２つの部分に分かれている。具体的には、管部６は、第１の筒状部１２と、第２の筒状部１４とを備える。第１の筒状部１２が管部６の上流側パーツを構成し、第２の筒状部１４は管部６の下流側パーツを構成する。図２に示すように、第１の筒状部１２に対して第２の筒状部１４が引出可能に構成されている。
【００２０】
第１の筒状部１２は管部６の基端部６ａを含み、第２の筒状部１４は管部６の先端部６ｂを含む。
【００２１】
第１の筒状部１２および第２の筒状部１４の内部には、基部４からの水を通す管路１３が設けられている（図２）。管路１３は基部４側から延びる管状の部材であって、基部４および管部６内を通って吐水部８へ連通するように延びる。管路１３内に通水される水は、吐水部８から吐出可能である。
【００２２】
吐水部８は、管路１３から供給される水を外部へ吐出するように管部６の表面に設けられた部材である。本実施の形態では、吐水部８は管部６の先端部６ｂにおいて、管部６の表面から下方に僅かに突出した筒状部分である。吐水部８は、管部６の表面と一体的に構成されている。吐水部８の先端には水を吐出するための開口として吐出口８ａが形成されている。
【００２３】
操作部１０は、吐水部８から吐水される水の吐水形態を切り替えるようにユーザが操作するための部材である。操作部１０は、管部６の先端部６ｂにおいて管部６が延びる方向Ｔに突出するボタンとして構成されている。操作部１０を押す操作によって、吐水部８からの吐水形態をシャワー吐水とストレート吐水の間で切替可能である。
【００２４】
吐水形態の切替に関する詳細な機構について、図３−図６を用いて説明する。
【００２５】
図３は、管部６の第２の筒状部１４の周辺の側面図である。図４は、管部６の第２の筒状部１４の周辺の平面図である。図５Ａ、５Ｂはともに、図４に関するより詳細な断面図（カバー１８を省略した図）であり、図５Ａは、シャワー吐水の状態を示し、図５Ｂは、ストレート吐水の状態を示している。図６は、図５Ａ、５Ｂに示す部分周辺の分解斜視図である。
【００２６】
図３−図５Ｂに示すように、本実施の形態における管部６（第２の筒状部１４）は、吐水ボディ１６と、カバー１８とを備える。
【００２７】
吐水ボディ１６は、カバー１８の内側に配置された筒状の部材である。吐水ボディ１６は、図４、図５Ａ、５Ｂに示すように、２つの流路として、第１の流路２０と第２の流路２２を形成する。
【００２８】
カバー１８は、吐水ボディ１６を覆うように設けられる筒状の部材である。カバー１８は、第２の筒状部１４の外郭を構成する。第２の筒状部１４の外郭を構成するカバー１８の表面は、図１、図２などに示すように一体的に滑らかに形成されている。カバー１８の表面から突出した一部が吐水部８として構成されている（図３）。
【００２９】
吐水ボディ１６における第１の流路２０および第２の流路２２の先端部は吐水部８の吐水口８ａに接続されている。より具体的には、第１の流路２０は、吐水部８の吐水口８ａにおけるシャワー吐水用の複数の散水孔３４（図５Ａ、５Ｂ）に接続されており、第２の流路２２は、散水孔３４よりも大きなストレート吐水用の孔３６に接続されている。
【００３０】
第１の流路２０と第２の流路２２の入口部分には、供給口２０ａおよび供給口２２ａがそれぞれ形成されている。供給口２０ａおよび供給口２２ａは、管路１３が形成する上流側流路１５に連通している。上流側流路１５を流れる水が、供給口２０ａおよび供給口２２ａを介して第１の流路２０および第２の流路２２にそれぞれ通水可能である。
【００３１】
第１の流路２０を流れるシャワー吐水の形態と、第２の流路２２を流れるストレート吐水の形態を切替可能とする構成として、流路切替機構２４が設けられている。水栓装置２はさらに、伝達機構２６を備える。
【００３２】
流路切替機構２４は、吐水部８による吐水形態を切り替えるように、第１の流路２０へ通水する吐水形態と第２の流路２２へ通水する吐水形態を切り替えるための機構である。流路切替機構２４は特に、管路１３が形成する上流側流路１５を第１の流路２０あるいは第２の流路２２のいずれかに択一的に接続するように切替可能な機構である。
【００３３】
本実施の形態の流路切替機構２４は、図５Ａ、５Ｂに示すように、第１の流路２０の供給口２０ａを塞ぐ第１の位置と、第２の流路２２の供給口２２ａを塞ぐ第２の位置との間で移動可能である。
【００３４】
本実施の形態における流路切替機構２４は、２つの突出部として、第１の突出部２４ａおよび第２の突出部２４ｂを備える。第１の突出部２４ａは、第１の流路２０の供給口２０ａに対応する位置に設けられており、供給口２０ａを塞ぐ閉塞部材として機能する。同様に、第２の突出部２４ｂは、第２の流路２２の供給口２２ａに対応する位置に設けられており、供給口２２ａを塞ぐ閉塞部材として機能する。本実施の形態における第１の突出部２４ａおよび第２の突出部２４ｂはともに、ばね状のパッキンで構成されている。
【００３５】
第１の突出部２４ａおよび第２の突出部２４ｂはともに、伝達機構２６に取り付けられている。
【００３６】
伝達機構２６は、前述した操作部１０による操作を流路切替機構２４に伝達する機構である。伝達機構２６は、操作部１０と流路切替機構２４の間に接続されたリンク機構である。伝達機構２６による伝達によって流路切替機構２４の移動が制御される。
【００３７】
伝達機構２６は、大きく３つの接続アームで構成されている。具体的には、伝達機構２６は、第１の接続アーム２６ａと、第２の接続アーム２６ｂと、第３の接続アーム２６ｃとを備える。
【００３８】
第１の接続アーム２６ａおよび第２の接続アーム２６ｂは、操作部１０の一方側の端部と他方側の端部にそれぞれ接続された棒状の部材である。第１の接続アーム２６ａおよび第２の接続アーム２６ｂは、操作部１０に接続される部分とは反対側の端部において、第３の接続アーム２６ｃの一方側の端部と他方側の端部にそれぞれ接続されている。
【００３９】
第３の接続アーム２６ｃは、第１の接続アーム２６ａと第２の接続アーム２６ｂの間に接続される板状の部材である。第３の接続アーム２６ｃの中央部には、第１の突出部２４ａと第２の突出部２４ｂが取り付けられている。伝達機構２６における第３の接続アーム２６ｃの移動によって、流路切替機構２４における第１の突出部２４ａと第２の突出部２４ｂを移動させて位置を変更することができる。
【００４０】
第３の接続アーム２６ｃは、前述した管路１３の内部に収まるように配置されている。この配置に関して、図６を用いてより詳細に説明する。
【００４１】
図６に示すように、管路１３は２つの部分に分かれており、上流側管路部材１３ａと、下流側管路部材１３ｂとを備える。第３の接続アーム２６ｃは、上流側管路部材１３ａと下流側管路部材１３ｂの間に配置される。
【００４２】
第３の接続アーム２６ｃには、２つの封水パッキン２８ａ、２８ｂが設けられている。封水パッキン２８ａ、２８ｂは、第３の接続アーム２６ｃと管路１３の間を封止する部材であり、ゴムなどの弾性部材によって構成されている。
【００４３】
封水パッキン２８ａ、２８ｂが配置された状態で上流側管路部材１３ａと下流側管路部材１３ｂを接続することにより、第３の接続アーム２６ｃが管路１３の内側に収まるように配置された状態で、接続部分が封止される。
【００４４】
封水パッキン２８ａ、２８ｂが弾性部材で構成されているため、封水パッキン２８ａ、２８ｂの中に配置された第３の接続アーム２６ｃは、管路１３との接続部分が封止された状態で移動可能となっている。
【００４５】
また、板状に形成された第３の接続アーム２６ｃは、管路１３の内部流路を一部塞ぐように配置されるため、上流側管路部材１３ａから流れてくる水は、第３の接続アーム２６ｃを超えて下流側管路部材１３ｂに流れることができる。
【００４６】
下流側管路部材１３ｂは、上流側管路部材１３ａに接続される側とは反対側（下流側）において吐水ボディ１６の周囲を囲むように配置される。下流側管路部材１３ｂの先端にはＯリング３０が取り付けられている。Ｏリング３０は、下流側管路部材１３ｂが吐水ボディ１６を囲むように取り付けられたときに、下流側管路部材１３ｂと吐水ボディ１６の間を封止するように機能する。
【００４７】
吐水ボディ１６の先端にはパッキン３２が設けられている。パッキン３２は、前述した第１の流路２０の供給口２０ａおよび第２の流路２２の供給口２２ａに連通する２つの開口を有している（符号省略）。このように、第１の流路２０の供給口２０ａおよび第２の流路２２の供給口２２ａは、パッキン３２の開口と吐水ボディ１６内の２つの流路２０、２２によってそれぞれ形成されている。
【００４８】
上述した流路切替機構２４および伝達機構２６はともに、図３、図４などに示したカバー１８によって覆われている。カバー１８は前述したように第１の筒状部１４の外郭を構成するものであって、その表面が一体的に滑らかな面で構成されている。これより、カバー１８の表面のうち、流路切替機構２４が配置される箇所の表面と伝達機構２６が配置される箇所の表面は滑らかに繋がっている。これにより、それぞれの表面が滑らかに繋がっておらず、段差が形成される場合や入隈部が形成される場合などに比べて、水栓装置２のデザイン性を向上させることができる。
【００４９】
次に、吐水部８からの吐水形態を切り替える操作について、図５Ａ、５Ｂを用いて説明する。
【００５０】
前述したように、ユーザは操作部１０を押すように操作することができる。図５Ａに示す位置で操作部１０を押した場合（矢印Ｂ）、伝達機構２６が支点２７を中心として移動する。これにより、伝達機構２６における第１の接続アーム２６ａが上流側に押し込まれ、その一方で第２の接続アーム２６ｂは逆方向の下流側に引き込まれる。これに連動して第３の接続アーム２６ｃが移動し、第３の接続アーム２６ｃに取り付けられた流路切替機構２４も移動する。より具体的には、流路切替機構２４のうち、第１の突出部２４ａは、第１の流路２０の供給口２０ａから離れる方向に移動する一方で、第２の突出部２４ｂは、第２の流路２２の供給口２２ａを塞ぐ位置に移動する。このように、流路切替機構２４は、第２の流路２２の供給口２２ａを塞ぎ、第１の流路２０の供給口２０ａにのみ管路１３からの水を通水する位置（第１の位置）に移動する。
【００５１】
流路切替機構２４が第１の位置にあるときには、管路１３の上流側流路１５が第１の流路２０にのみ接続され、吐水部８からシャワー吐水が行われる。
【００５２】
このようにして、ユーザは操作部１０を操作してシャワー吐水の形態に切り替えることができる。
【００５３】
一方で、図５Ｂに示す位置で操作部１０を押した場合（矢印Ｃ）、図５Ａに示す位置とは反対方向に、流路切替機構２４および伝達機構２６が移動する。具体的には、伝達機構２６における第２の接続アーム２６ｂが上流側に押し込まれる一方で、第１の接続アーム２６ａは下流側に引き込まれる。これに連動して第３の接続アーム２６ｃに取り付けられた流路切替機構２４も移動する。流路切替機構２４のうち、第１の突出部２４ａは第１の流路２０の供給口２０ａを塞ぐ位置に移動し、第２の突出部２４ｂは第２の流路２２の供給口２２ａから離れる方向に移動する。このように、流路切替機構２４は、第１の流路２０の供給口２０ａを塞ぎ、第２の流路２２の供給口２２ａにのみ管路１３からの水を通水する位置（第２の位置）に移動する。
【００５４】
流路切替機構２４が第２の位置にあるときには、管路１３の上流側流路１５が第２の流路２２にのみ接続され、吐水部８からストレート吐水が行われる。
【００５５】
このようにして、ユーザは操作部１０を操作してストレート吐水に切り替えることができる。
【００５６】
上述したように、操作部１０を押す位置によって、シャワー吐水とストレート吐水を相互に切り替えることができる。
【００５７】
上述した構成では、吐水形態を切り替えるための流路切替機構２４が吐水部８から離れた上流側の位置に配置されている。特に、吐水部８と流路切替機構２４の間には、管部６に沿って延びる第１の流路２０および第２の流路２２が設けられている。吐水部８およびその近傍には、吐水形態を切り替えるための切替機構は設けられていないため、吐水部８をコンパクトに構成することができる。これにより、吐水部８が管部６の表面から突出する長さ（突出量）を小さくすることができ、管部６の先端側の形状をシャープなものとし、水栓装置２のデザイン性を向上させることができる。
【００５８】
上述したように、本実施の形態の水栓装置２は、設置台３に取り付けられる基部４と、基部４から延びる管部６と、管部６内に通される水を吐出するように管部６に設けられる吐水部８とを備える水栓装置である。水栓装置２において、管部６内に、基部４側から吐水部８に向かって管部６に沿って延びる第１の流路２０と第２の流路２２が形成されている。管部６内にはさらに、第１の流路２０および第２の流路２２に水を供給するように基部４側から接続される上流側流路１５が形成されている。水栓装置２はさらに、操作部１０と、流路切替機構２４と、伝達機構２６とを備える。操作部１０は、管部６の先端部６ｂに設けられ、流路切替機構２４を操作可能とする部材である。流路切替機構２４は、上流側流路１５を第１の流路２０又は第２の流路２２のいずれかに択一的に接続するように切替可能な部材である。伝達機構２６は、操作部１０による操作を流路切替機構２４に伝達するように管部６内に通される部材である。
【００５９】
このような構成によれば、流路を切り替えるための流路切替機構２４を吐水部８から離れた上流側の位置に配置することで、流路切替機構２４を吐水部８の中あるいは吐水部８の近傍に設ける構成に比べて、吐水部８を小さく設計することができる。これにより、吐水部８の突出量を低く抑えることができ、管部６の先端側の形状が過度に大きくならず、水栓装置２のデザイン性を向上させることができる。
【００６０】
また本実施の形態の水栓装置２によれば、管部６は、先端部６ｂに向かって先細りの形状を有する。このように管部６を先細りの形状とすることで、水栓装置２の先端部側にシャープな印象を持たせることができ、水栓装置２のデザイン性を向上させることができる。
【００６１】
また本実施の形態の水栓装置２によれば、管部６の表面において、流路切替機構２４が配置される箇所と、伝達機構２６が配置される箇所は滑らかに繋がる。このように、流路切替機構２４が配置される箇所と伝達機構２６が配置される箇所での管部６の表面を滑らかに繋がるように構成することで、両者の間で管部６の表面が途切れるように構成される場合に比べて、デザイン性を向上させることができる。
【００６２】
また本実施の形態の水栓装置２によれば、操作部１０は、管部６の先端部６ｂにおいて管部６が延びる方向Ｔに突出したボタンとして設けられている。このような構成によれば、操作部が管部６の外周面に設けられる場合に比べて、管部６にシャープな印象を持たせることができ、水栓装置２のデザイン性を向上させることができる。
【００６３】
以上、上述の実施の形態を挙げて本発明を説明したが、本発明は上述の実施の形態に限定されない。例えば、上記実施の形態では、流路切替機構２４が第１の突出部２４ａ、第２の突出部２４ｂという２つの突出部により構成される場合について説明したが、このような場合に限らない。管路１３の上流側流路１５を第１の流路２０あるいは第２の流路２２のいずれかに択一的に接続するように切替可能な構成であれば、任意の流路切替機構を採用してもよい。
【００６４】
また、上記実施の形態では、管部６の全体が先端部６ｂに向かって先細りの形状である場合について説明したが、このような場合に限らず、部分的に先細りの形状としてもよく、あるいはそれ以外の任意の形状を採用してもよい。なお、管部６を先端部６ｂに向かって先細りの形状とする方が、水栓装置２のデザイン性を向上させることができる。
【００６５】
また、上記実施の形態では、操作部１０による操作をプッシュ操作で行う場合について説明したが、このような場合に限らず、流路切替機構２４の移動を操作可能であれば任意の操作方法であってもよい。例えば、管部６の先端部６ｂにおいて回転操作により吐水形態を切り替えられる機構を採用してもよい。
【００６６】
また、上記実施の形態では、伝達機構２６として３つの接続アーム２６ａ、２６ｂ、２６ｃが設けられる場合について説明したが、このような場合に限らない。操作部１０による操作を流路切替機構２４に伝達するものであれば、任意の伝達機構を採用してもよい。
【００６７】
また、上記実施の形態では、吐水部８においてシャワー吐水とストレート吐水を行う場合について説明したが、このような場合に限らない。シャワー吐水とストレート吐水以外の吐水形態を実施するものであってもよい。また、シャワー吐水とストレート吐水という２つの吐水形態に限らず、３つ以上の吐水形態を切替可能に構成してもよい。この場合、第１の流路２０および第２の流路２２に加えて第３の流路を設けるとともに、流路切替機構２４に第３の流路の供給口を塞ぐ突出部をさらに設けるようにしてもよい。
【００６８】
また、上記実施の形態では、管部６が第１の筒状部１２と第２の筒状部１４に分かれており、第１の筒状部１２を第２の筒状部１４から引き出し可能に構成する場合について説明したが、このような場合に限らない。引き出し機能を有しない一体的な管部としてもよい。
【００６９】
なお、上記様々な実施の形態および変形例のうちの任意の実施の形態を適宜組み合わせることにより、それぞれの有する効果を奏するようにすることができる。
【００７０】
本開示は、添付図面を参照しながら好ましい実施の形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施の形態における要素の組合せや順序の変化は、本開示の範囲及び思想を逸脱することなく実現し得るものである。
【産業上の利用可能性】
【００７１】
本発明は、水栓装置であれば適用可能である。
【符号の説明】
【００７２】
２  水栓装置
３  設置台
４  基部
６  管部
６ａ  基端部
６ｂ  先端部
８  吐水部
８ａ  吐水口
１０  操作部
１２  第１の筒状部
１３  管路
１３ａ  上流側管路部材
１３ｂ  下流側管路部材
１４  第２の筒状部
１５  上流側流路
１６  吐水ボディ
１８  カバー
２０  第１の流路
２０ａ  供給口
２２  第２の流路
２２ａ  供給口
２４  流路切替機構
２４ａ  第１の突出部
２４ｂ  第２の突出部
２６  伝達機構
２６ａ  第１の接続アーム
２６ｂ  第２の接続アーム
２６ｃ  第３の接続アーム
２８ａ、２８ｂ  封水パッキン
３０  Ｏリング
３２  パッキン
３４  シャワー吐水用の散水孔
３６  ストレート吐水用の孔
【図１】
2018131749.tif 000003
【図２】
2018131749.tif 000004
【図３】
2018131749.tif 000005
【図４】
2018131749.tif 000006
【図５Ａ】
2018131749.tif 000007
【図５Ｂ】
2018131749.tif 000008
【図６】
2018131749.tif 000009